(57)【要約】【課題】管理システムが直接管理することなく、トラヒックの状態に応じて各エッジノードが自律的にＱｏＳ設定を行う。また、各エッジノードで自律的にＱｏＳ設定を行うことにより、通訳システムの能力に見合ったＱｏＳ設定が可能となり、高品質の通訳サービスを提供する。【解決手段】伝送パケットを初段から最終段へと順次に転送する複数段のエッジノードを備える通信ネットワークで、最終段のエッジノードから初段のエッジノードまで、伝送パケットの伝送経路に沿って順次に、送信されてきた通信品質設定プログラムを実行することによって、通信品質設定並びに通信品質設定プログラム及び通信品質設定結果の送信とを、それぞれ行い、管理システムは、通信品質設定プログラムの作成及び実行状態の監視を行う。【選択図】      図４
2004363780.tif 000002
【特許請求の範囲】
【請求項１】
管理システムと、伝送パケットを初段から最終段へと順次に転送する複数段のパケット転送装置とを備える通信ネットワークにおける通信品質設定方法において、
前記管理システムに通信品質設定要求が入力される過程と、
前記管理システムで、該通信品質設定要求に基づいて通信品質設定プログラムを作成する過程と、
前記管理システムから最終段のパケット転送装置へ前記通信品質設定プログラムを送信する過程と、
最終段のパケット転送装置から中間段のパケット転送装置を経て初段のパケット転送装置まで、各パケット転送装置で順次に、送信されてきた通信品質設定プログラムを実行することによって、通信品質設定と、通信品質設定結果の記録と、通信品質設定後の通信品質設定プログラムの複製と、複製された通信品質設定プログラム及び最終段のパケット転送装置から通信品質設定プログラムを現在実行中のパケット転送装置までの全ての通信品質設定結果の送信とを、それぞれ行う過程と、
通信品質設定プログラム及び全ての通信品質設定結果を、初段のパケット転送装置から前記管理システムへ送信する過程と、
前記管理システムで、前記通信品質設定プログラム及び全ての通信品質設定結果とを受信する過程と、
前記管理システムで、全ての通信品質設定結果の記録及び表示を行う過程と
を有することを特徴とする通信ネットワークにおける通信品質設定方法。
【請求項２】
ユーザ端末と、伝送パケットを初段から最終段へと順次に転送する複数段のパケット転送装置とを備える通信ネットワークにおける通信品質設定方法において、
前記ユーザ端末に通信品質設定要求が入力される過程と、
前記ユーザ端末で、該通信品質設定要求に基づいて通信品質設定プログラムを作成する過程と、
前記ユーザ端末から最終段のパケット転送装置へ前記通信品質設定プログラムを送信する過程と、
最終段のパケット転送装置から中間段のパケット転送装置を経て初段のパケット転送装置まで、各パケット転送装置で順次に、送信されてきた通信品質設定プログラムを実行することによって、通信品質設定と、通信品質設定結果の記録と、通信品質設定後の通信品質設定プログラムの複製と、複製された通信品質設定プログラム及び最終段のパケット転送装置から通信品質設定プログラムを現在実行中のパケット転送装置までの全ての通信品質設定結果の送信とを、それぞれ行う過程と、
通信品質設定プログラム及び全ての通信品質設定結果を、初段のパケット転送装置から中間段のパケット転送装置及び最終段のパケット転送装置を経由して前記ユーザ端末へ、順次に送信する過程と、
前記ユーザ端末で、前記通信品質設定プログラム及び全ての通信品質設定結果を受信する過程と
を有することを特徴とする通信ネットワークにおける通信品質設定方法。
【請求項３】
ユーザ端末と、管理システムと、伝送パケットを初段から最終段へと順次に転送する複数段のパケット転送装置とを備える通信ネットワークにおける通信品質設定方法において、
前記ユーザ端末に通信品質設定要求が入力される過程と、
前記ユーザ端末から該通信品質設定要求を前記管理システムへ送信する過程と、
前記管理システムで、該通信品質設定要求に基づいて通信品質設定プログラムを作成する過程と、
前記管理システムから最終段のパケット転送装置へ前記通信品質設定プログラムを送信する過程と、
最終段のパケット転送装置から中間段のパケット転送装置を経て初段のパケット転送装置まで、各パケット転送装置で順次に、送信されてきた通信品質設定プログラムを実行することによって、通信品質設定と、通信品質設定結果の記録と、通信品質設定後の通信品質設定プログラムの複製と、複製された通信品質設定プログラム及び最終段のパケット転送装置から通信品質設定プログラムを現在実行中のパケット転送装置までの全ての通信品質設定結果の送信とを、それぞれ行う過程と、
通信品質設定プログラム及び全ての通信品質設定結果を、初段のパケット転送装置から前記管理システムへ送信する過程と、
前記管理システムで、前記通信品質設定プログラム及び全ての通信品質設定結果とを受信する過程と、
前記管理システムで、全ての通信品質設定結果を記録する過程と、
全ての通信品質設定結果を前記管理システムからユーザ端末へ送信する過程と、
ユーザ端末で、全ての通信品質設定結果を受信する過程と
を有することを特徴とする通信ネットワークにおける通信品質設定方法。
【請求項４】
請求項１記載の通信品質設定方法において、
通信品質設定プログラム作成後、該通信品質設定プログラムを終了させるために、終了処理プログラムを作成する過程と、
各パケット転送装置で、通信品質設定プログラムの送信経路を経由して、順次に送信されてきた前記終了処理プログラムを実行させることにより、通信品質設定プログラムの送信先の取得と、通信品質設定プログラムの終了と、終了処理プログラム及び前記最終段のパケット転送装置から終了処理プログラムを現在実行中のパケット転送装置までの全ての終了処理結果の、通信品質設定プログラムの送信先への送信とを、それぞれ行う過程と、
前記管理システムで、前記終了処理プログラム及び全ての終了処理結果を受信する過程と、
前記管理システムで、全ての終了処理結果の記録及び表示を行う過程と
を有することを特徴とする通信ネットワークにおける通信品質設定方法。
【請求項５】
請求項２記載の通信品質設定方法において、
通信品質設定プログラム作成後、該通信品質設定プログラムを終了させるために、終了処理プログラムを作成する過程と、
各パケット転送装置で、通信品質設定プログラムの送信経路を経由して、順次に送信されてきた前記終了処理プログラムを実行させることにより、通信品質設定プログラムの送信先の取得と、通信品質設定プログラムの終了と、終了処理プログラム及び前記最終段のパケット転送装置から終了処理プログラムを現在実行中のパケット転送装置までの全ての終了処理結果の、通信品質設定プログラムの送信先への送信とを、それぞれ行う過程と、
前記ユーザ端末で、前記終了処理プログラムと全ての終了処理結果を受信する過程と
を有することを特徴とする通信ネットワークにおける通信品質設定方法。
【請求項６】
請求項３記載の通信品質設定方法において、
通信品質設定プログラム作成後、該通信品質設定プログラムを終了させるために、終了処理プログラムを作成する過程と、
各パケット転送装置で、通信品質設定プログラムの送信経路を経由して、順次に送信されてきた前記終了処理プログラムを実行させることにより、通信品質設定プログラムの送信先の取得と、通信品質設定プログラムの終了と、終了処理プログラム及び前記最終段のパケット転送装置から終了処理プログラムを現在実行中のパケット転送装置までの全ての終了処理結果の、通信品質設定プログラムの送信先への送信とを、それぞれ行う過程と、
前記管理システムで、前記終了処理プログラム及び全ての終了処理結果を受信する過程と、
前記管理システムで、全ての終了処理結果を記録する過程と、
全ての終了処理結果を、前記管理システムからユーザ端末へ送信する過程と、
ユーザ端末で、全ての終了処理結果を受信する過程と
を有することを特徴とする通信ネットワークにおける通信品質設定方法。
【請求項７】
ユーザ端末、通訳システム及び音声信号を初段から最終段へと順次に転送する複数段のパケット転送装置を備える通信ネットワークにおける通信品質の設定方法において、
前記ユーザ端末に通訳要求が入力される過程と、
前記通訳要求を、ユーザ端末から初段のパケット転送装置、中間段のパケット転送装置及び最終段のパケット転送装置を経由して通訳システムまで、順次に送信する過程と、
前記通訳システムで、通訳要求に基づいて通信品質設定プログラムを作成する過程と、
前記通訳システムから最終段のパケット転送装置へ前記通信品質設定プログラムを送信する過程と、
ユーザ端末に音声信号が入力される過程と、
前記音声信号を、ユーザ端末から初段のパケット転送装置、中間段のパケット転送装置及び最終段のパケット転送装置を経由して通訳システムへ、順次に転送する過程と、
最終段のパケット転送装置から中間段のパケット転送装置を経て初段のパケット転送装置まで、各パケット転送装置で順次に、送信されてきた通信品質設定プログラムを実行することによって、通信品質設定と、該通信品質設定結果の記録と、該通信品質設定後の通信品質設定プログラムの複製と、複製された通信品質設定プログラム及び最終段のパケット転送装置から通信品質設定プログラムを現在実行中のパケット転送装置までの全ての通信品質設定結果の送信とを、それぞれ行う過程と、
通訳システムで通訳処理を行う過程と、
通信品質設定プログラム及び全ての通信品質設定結果を、初段のパケット転送装置から中間段のパケット転送装置及び最終段のパケット転送装置を経由して前記通訳システムまで、順次に送信する過程と、
前記通訳システムで、前記通信品質設定プログラム及び全ての通信品質設定結果を受信する過程と
を有することを特徴とする通信ネットワークにおける通信品質設定方法。
【請求項８】
管理システム、ユーザ端末、通訳システム及び音声信号を初段から最終段へと順次に転送する複数段のパケット転送装置とを備える通信ネットワークにおける通信品質の設定方法において、
前記ユーザ端末に通訳要求が入力される過程と、
前記通訳要求を、ユーザ端末から初段のパケット転送装置、中間段のパケット転送装置及び最終段のパケット転送装置を経由して通訳システムまで、順次に送信する過程と、
通訳システムで、前記通訳要求を受信し、前記通訳要求に基づいた通信品質設定要求を前記通訳システムから管理システムへ送信する過程と、
前記管理システムで、前記通信品質設定要求に基づいて通信品質設定プログラムを作成する過程と、
前記管理システムから最終段のパケット転送装置へ前記通信品質設定プログラムを送信する過程と、
ユーザ端末に音声信号が入力される過程と、
前記音声信号を、ユーザ端末から初段のパケット転送装置、中間段のパケット転送装置及び最終段のパケット転送装置を経由して通訳システムへ、順次に転送する過程と、
最終段のパケット転送装置から中間段のパケット転送装置を経て初段のパケット転送装置まで、各パケット転送装置で順次に、送信されてきた通信品質設定プログラムを実行することによって、通信品質設定と、通信品質設定結果の記録と、通信品質設定後の通信品質設定プログラムの複製と、複製された通信品質設定プログラム及び最終段のパケット転送装置から通信品質設定プログラムを現在実行中のパケット転送装置までの全ての前記通信品質設定結果の送信とを、それぞれ行う過程と、
通訳システムで通訳処理を行う過程と、
通信品質設定プログラム及び全ての通信品質設定結果を、初段のパケット転送装置から前記管理システムへ送信する過程と、
前記管理システムで、前記通信品質設定プログラム及び全ての通信品質設定結果とを受信し、全ての通信品質設定結果を記録する過程と、
全ての通信品質設定結果を前記管理システムから通訳システムに送信する過程と、
前記通訳システムで、前記通信品質設定プログラム及び全ての通信品質設定結果を受信する過程と
を有することを特徴とする通信ネットワークにおける通信品質設定方法。
【請求項９】
コンピュータを備えたパケット転送装置において実行される通信品質設定プログラムにおいて、前記コンピュータに
通信品質設定を行う機能と、
自己を複製する機能と、
他のパケット転送装置、管理システム、ユーザ端末、又は通訳システムに自己のプログラム及び通信品質設定結果を送信する機能と、
通信品質設定結果の記録をする機能と
を実現させるための通信品質設定プログラム。
【請求項１０】
管理システム及び伝送パケットを初段から最終段へと順次に転送する複数段のパケット転送装置を有し、
前記管理システムは、
オペレータによる通信品質設定要求を受け付ける入力手段と、
前記通信品質設定要求に基づいて請求項９記載の通信品質設定プログラムを作成する手段と、
前記通信品質設定プログラムを最終段のパケット転送装置に送信する手段と、
前記通信品質設定プログラム及び通信品質設定結果を初段のパケット転送装置から受信する手段と、
前記通信品質設定結果の記録及び表示を行う手段とを備え、
パケット転送装置は、
伝送パケットを初段から最終段へ順次に転送する手段と、
前記通信品質設定プログラム及び通信品質設定結果を前記管理システム又は他のパケット転送装置から受信する手段と、
前記通信品質設定プログラムを実行する手段と
を備えることを特徴とする通信ネットワークにおける通信品質設定システム。
【請求項１１】
ユーザ端末及び伝送パケットを初段から最終段へと順次に転送する複数段のパケット転送装置を有し、
前記ユーザ端末は、
ユーザによる通信品質設定要求を受け付ける入力手段と、
前記通信品質設定要求に基づいて請求項９記載の通信品質設定プログラムを作成する手段と、
前記通信品質設定プログラムを最終段のパケット転送装置に送信する手段と、
前記通信品質設定プログラム及び通信品質設定結果を初段のパケット転送装置から受信する手段と、
伝送パケットを受信する手段とを備え、
パケット転送装置は、
伝送パケットを初段から最終段まで順次に経由してユーザ端末へ転送する手段と、
前記通信品質設定プログラム及び通信品質設定結果を前記ユーザ端末又は他のパケット転送装置から受信する手段と、
前記通信品質設定プログラムを実行する手段と
を備えることを特徴とする通信ネットワークにおける通信品質設定システム。
【請求項１２】
管理システム、ユーザ端末及び伝送パケットを初段から最終段へと順次に転送する複数段のパケット転送装置を有し、
前記管理システムは、
ユーザ端末から通信品質設定要求を受信する手段と、
前記通信品質設定要求に基づいて請求項９記載の通信品質設定プログラムを作成する手段と、
前記通信品質設定プログラムを最終段のパケット転送装置に送信する手段と、
前記通信品質設定プログラム及び通信品質設定結果を初段のパケット転送装置から受信する手段と、
前記通信品質設定結果を記録する手段と、
前記通信品質設定結果をユーザ端末に送信する手段とを備え、
前記ユーザ端末は、
ユーザによる通信品質設定要求を受け付ける入力手段と、
前記通信品質設定要求を前記管理システムに送信する手段と、
伝送パケットを受信する手段と、
通信品質設定結果を受信する手段とを備え、
パケット転送装置は、
伝送パケットを初段から最終段へ順次に転送する手段と、
前記通信品質設定プログラム及び通信品質設定結果を前記管理システム又は他のパケット転送装置から受信する手段と、
前記通信品質設定プログラムを実行する手段と
を備えることを特徴とする通信ネットワークにおける通信品質設定システム。
【請求項１３】
コンピュータを備えたパケット転送装置において実行される終了処理プログラムにおいて、前記コンピュータに
請求項９記載の通信品質設定プログラムの送信先を取得する機能と、
前記通信品質設定プログラムを終了する機能と、
他のパケット転送装置、管理システム、ユーザ端末、又は通訳システムに自己のプログラム及び終了処理結果を送信する機能と、
終了処理結果の記録をする機能と
を実現させるための終了処理プログラム。
【請求項１４】
請求項１０記載の通信品質設定システムにおいて、通信品質設定プログラムを終了させるために、
管理システムは、
請求項１３記載の終了処理プログラムを作成する手段と、
前記終了処理プログラムを最終段のパケット転送装置に送信する手段と、
前記終了処理プログラム及び終了処理結果を初段のパケット転送装置から受信する手段と、
終了処理結果を記録及び表示する手段とを備え、
パケット転送装置は、
終了処理プログラム及び終了処理結果を管理システム又は他のパケット転送装置から受信する手段と、
前記終了処理プログラムを実行する手段と
を備えることを特徴とする通信ネットワークにおける通信品質設定システム。
【請求項１５】
請求項１１記載の通信品質設定システムにおいて、通信品質設定プログラムを終了させるために、
ユーザ端末は、
請求項１３記載の終了処理プログラムを作成する手段と、
前記終了処理プログラムを最終段のパケット転送装置に送信する手段と、
前記終了処理プログラム及び終了処理結果を初段のパケット転送装置から受信する手段とを備え、
パケット転送装置は、
終了処理プログラム及び終了処理結果を管理システム又は他のパケット転送装置から受信する手段と、
前記終了処理プログラムを実行する手段と
を備えることを特徴とする通信ネットワークにおける通信品質設定システム。
【請求項１６】
請求項１２記載の通信品質設定システムにおいて、
管理システムは、
請求項１３記載の終了処理プログラムを作成する手段と、
前記終了処理プログラムを最終段のパケット転送装置に送信する手段と、
前記終了処理プログラム及び終了処理結果を初段のパケット転送装置から受信する手段と、
前記終了処理プログラムの実行結果を記録する手段と、
前記終了処理プログラムの実行結果をユーザ端末に送信する手段とを備え、
パケット転送装置は、前記終了処理プログラムを実行する手段を備えることを特徴とする通信ネットワークにおける通信品質設定システム。
【請求項１７】
ユーザ端末、通訳システム、及び音声信号を初段から最終段へと順次に転送する複数段のパケット転送装置とを有し、
前記ユーザ端末は、
ユーザによる通訳要求を受け付ける入力手段と、
音声信号の入出力を行う手段とを備え、
前記通訳システムは、
通訳を行う手段と、
前記通訳要求に基づいて請求項９記載の通信品質設定プログラムを作成する手段と、
前記通信品質設定プログラムを最終段のパケット転送装置に送信する手段と、
前記通信品質設定プログラム及び通信品質設定結果を初段のパケット転送装置から受け付ける手段と、
前記通信品質設定結果を記録する手段とを備え、
パケット転送装置は、
音声信号を初段から最終段まで順次に経由してユーザ端末へ転送する手段と、
前記通信品質設定プログラム及び通信品質設定結果を前記ユーザ端末又は他のパケット転送装置から受信する手段と、
前記通信品質設定プログラムを実行する手段と
を備えることを特徴とする通信ネットワークにおける通信品質設定システム。
【請求項１８】
管理システム、ユーザ端末、通訳システム、及び音声信号を初段から最終段へと順次に転送する複数段のパケット転送装置とを有し、
前記管理システムは、
通訳システムから通信品質設定要求を受信する手段と、
前記通信品質設定要求に基づいて請求項９記載の通信品質設定プログラムを作成する手段と、
前記通信品質設定プログラムを最終段のパケット転送装置に送信する手段と、
前記通信品質設定プログラム及び通信品質設定結果を初段のパケット転送装置から受信する手段と、
前記通信品質設定結果を記録する手段と、
前記通信品質設定結果を通訳システムに送信する手段とを備え、
前記ユーザ端末は、
ユーザによる通訳要求を受け付ける入力手段と、
音声信号の入出力を行う手段とを備え、
前記通訳システムは、
通訳を行う手段と、
前記通訳要求に基づいて通信品質設定要求を管理システムへ送信する手段と、
通信品質設定結果を受信する手段と、
通信品質設定結果を記録する手段とを備え、
パケット転送装置は、
音声信号を初段から最終段まで順次に経由してユーザ端末へ転送する手段と、
通信品質設定プログラム及び通信品質設定結果を前記管理システム又は他のパケット転送装置から受信する手段と、
前記通信品質設定プログラムを実行する手段と
を備えることを特徴とする通信ネットワークにおける通信品質設定システム。
【請求項１９】
コンピュータを備えたパケット転送装置において実行される通信品質設定プログラムを記録した記録媒体において、前記コンピュータに
通信品質の設定を行う機能と、
自己を複製する機能と、
他のパケット転送装置、管理システム、ユーザ端末、又は通訳システムに自己のプログラム及び通信品質設定結果を送信する機能と、
通信品質設定結果の記録をする機能と
を実現させるための通信品質設定プログラムを記録したコンピュータ読み取り可能な記録媒体。
【請求項２０】
コンピュータを備えたパケット転送装置において実行される終了処理プログラムを記録した記録媒体において、前記コンピュータに
請求項９記載の通信品質設定プログラムの送信先を取得する機能と、
前記通信品質設定プログラムを終了する機能と、
終了処理結果の記録をする機能と、他のパケット転送装置、管理システム、ユーザ端末、又は通訳システムに自己のプログラム及び終了処理結果を送信する機能と
を実現させるための終了処理プログラムを記録したコンピュータ読み取り可能な記録媒体。
【発明の詳細な説明】
【０００１】
【発明の属する技術分野】
この発明は、通信品質（ＱｏＳ：Ｑｕａｌｉｔｙ  ｏｆ  Ｓｅｒｖｉｃｅ）管理の負荷を軽減させるための、通信ネットワークでの通信品質の設定に関し、例えば、音声伝送（通信ネットワークを利用した音声通訳等）の高品質化を図るための、通信ネットワークにおける通信品質設定方法及び通信品質設定システム並びにプログラムに関する。
【０００２】
【従来の技術】
通常のインターネットでは、コネクションレス型の経路制御によって、ＱｏＳ保証のないベストエフォート配送を行っている。ベストエフォート配送では、伝送パケットの紛失が発生する可能性がある。
【０００３】
ところで、音声伝送（例えば、通信ネットワーク上で通訳システムを利用する場合）では、通信品質の劣化が問題となるので、各通信に必要なＱｏＳを確保する必要がある。ベストエフォート配送のＱｏＳは、伝送パケットの紛失などのために、音声伝送及び通信ネットワークを経由した音声通訳には向かない。
【０００４】
そこで、ＱｏＳを保証するために、通信ネットワークの中央にある管理システムから制御情報をネットワーク管理者によって選択的に指定された各パケット転送装置に対し、設定していくＱｏＳ制御システムが開示されている（特許文献１）。
【０００５】
【特許文献１】
特開２００２−３７４２８６号公報（請求項１）
【０００６】
【発明が解決しようとする課題】
しかしながら、上述の従来例の装置では、通信ネットワーク上のトラヒック（通信量）の変化等に応じてきめ細かくＱｏＳ設定を行うことが以下の点で難しかった。
【０００７】
（１）トラヒックの変化等の情報は、各パケット転送装置から管理情報ベースの管理対象として、簡易ネットワーク管理プロトコル（ＳＮＭＰ：Ｓｉｍｐｌｅ  Ｎｅｔｗｏｒｋ  Ｍａｎａｇｅｍｅｎｔ  Ｐｒｏｔｏｃｏｌ）等を利用して、管理システムが収集する必要がある。この収集量がセッション数、トラヒック、及びパケット転送装置の数に比例して莫大な量となるため、管理システムの負荷が膨大になってしまう。
【０００８】
（２）管理システムが各パケット転送装置に対し、同時にＱｏＳ設定を行うため、パケット転送装置数に比例して各パケット転送装置へ設定するための負荷が膨大になる。
【０００９】
（３）上記（１）及び（２）の理由から、例えば、通信ネットワーク上での通訳システムの能力に見合ったＱｏＳ設定が困難である。
【００１０】
この発明は、上述した従来の問題点に鑑み、なされたものである。従って、この発明は、ＱｏＳ管理の負荷を軽減させるとともに、通信ネットワークでの通信品質の高品質化を図るための、通信ネットワークにおける通信品質設定方法及び通信品質設定システム並びにプログラムを提供することを目的とする。
【００１１】
【課題を解決するための手段】
上述した目的の達成を図るために、この発明の通信ネットワークにおける第１の通信品質設定方法は、管理システムと、伝送パケットを初段から最終段へと順次に転送する複数段のパケット転送装置とを備える通信ネットワークにおける通信品質設定方法であって、管理システムに通信品質設定要求が入力される過程と、管理システムで通信品質設定要求に基づいて通信品質設定プログラムを作成する過程と、管理システムから最終段のパケット転送装置へ通信品質設定プログラムを送信する過程と、最終段のパケット転送装置から中間段のパケット転送装置を経て初段のパケット転送装置まで、各パケット転送装置で順次に、送信されてきた通信品質設定プログラムを実行することによって、通信品質設定と、通信品質設定結果の記録と、通信品質設定後の通信品質設定プログラムの複製と、複製された通信品質設定プログラム及び最終段のパケット転送装置から通信品質設定プログラムを現在実行中のパケット転送装置までの全ての通信品質設定結果の送信とを、それぞれ行う過程と、通信品質設定プログラム及び全ての通信品質設定結果を、初段のパケット転送装置から管理システムへ送信する過程と、管理システムで、通信品質設定プログラム及び全ての通信品質設定結果とを受信する過程と、管理システムで、全ての通信品質設定結果の記録及び表示を行う過程とを有する。
【００１２】
この第１の通信品質設定方法によれば、管理システムが直接管理することなく、トラヒックの状態に応じて各パケット転送装置が自律的にＱｏＳ設定を行うことが可能となる。
【００１３】
この発明の通信ネットワークにおける第２の通信品質設定方法は、ユーザ端末と、伝送パケットを初段から最終段へと順次に転送する複数段のパケット転送装置とを備える通信ネットワークにおける通信品質設定方法であって、ユーザ端末に通信品質設定要求が入力される過程と、ユーザ端末で、通信品質設定要求に基づいて通信品質設定プログラムを作成する過程と、ユーザ端末から最終段のパケット転送装置へ通信品質設定プログラムを送信する過程と、最終段のパケット転送装置から中間段のパケット転送装置を経て初段のパケット転送装置まで、各パケット転送装置で順次に、送信されてきた通信品質設定プログラムを実行することによって、通信品質設定と、通信品質設定結果の記録と、通信品質設定後の通信品質設定プログラムの複製と、複製された通信品質設定プログラム及び最終段のパケット転送装置から通信品質設定プログラムを現在実行中のパケット転送装置までの全ての通信品質設定結果の送信とを、それぞれ行う過程と、通信品質設定プログラム及び全ての通信品質設定結果を、初段のパケット転送装置から中間段のパケット転送装置及び最終段のパケット転送装置を経由してユーザ端末へ、順次に送信する過程と、ユーザ端末で、通信品質設定プログラム及び全ての通信品質設定結果を受信する過程とを有する。
【００１４】
この第２の通信品質設定方法によれば、管理システムではなくユーザ端末で通信品質設定プログラムを作成することで、オンデマンドにユーザが通信品質を設定することが可能となる。
【００１５】
この発明の通信ネットワークにおける第３の通信品質設定方法は、ユーザ端末と、管理システムと、伝送パケットを初段から最終段へと順次に転送する複数段のパケット転送装置とを備える通信ネットワークにおける通信品質設定方法であって、ユーザ端末に通信品質設定要求が入力される過程と、ユーザ端末から通信品質設定要求を管理システムへ送信する過程と、管理システムで、通信品質設定要求に基づいて通信品質設定プログラムを作成する過程と、管理システムから最終段のパケット転送装置へ通信品質設定プログラムを送信する過程と、最終段のパケット転送装置から中間段のパケット転送装置を経て初段のパケット転送装置まで、各パケット転送装置で順次に、送信されてきた通信品質設定プログラムを実行することによって、通信品質設定と、通信品質設定結果の記録と、通信品質設定後の通信品質設定プログラムの複製と、複製された通信品質設定プログラム及び最終段のパケット転送装置から通信品質設定プログラムを現在実行中のパケット転送装置までの全ての通信品質設定結果の送信とを、それぞれ行う過程と、通信品質設定プログラム及び全ての通信品質設定結果を、初段のパケット転送装置から管理システムへ送信する過程と、管理システムで、通信品質設定プログラム及び全ての通信品質設定結果とを受信する過程と、管理システムで、全ての通信品質設定結果を記録する過程と、全ての通信品質設定結果を管理システムからユーザ端末へ送信する過程と、ユーザ端末で、全ての通信品質設定結果を受信する過程とを有する。
【００１６】
この第３の通信品質設定方法によれば、管理プログラムの作成を、ユーザが管理システムにオンラインで依頼することで、オンデマンドに通信品質を設定することが可能となる。
【００１７】
上述の第１の通信品質設定方法の実施に当たり、好ましくは、通信品質設定プログラムの終了処理を含めることで、パケット転送装置内に無駄なプログラムを残すことなく通信品質設定が可能となる。
【００１８】
上述の第２の通信品質設定方法の実施に当たり、好ましくは、通信品質設定プログラムの終了処理を含めることで、パケット転送装置内に無駄なプログラムを残すことなく通信品質設定が可能となる。
【００１９】
上述の第３の通信品質設定方法の実施に当たり、好ましくは、通信品質設定プログラムの終了処理を含めることで、パケット転送装置内に無駄なプログラムを残すことなく通信品質設定が可能となる。
【００２０】
この発明の通信ネットワークにおける第４の通信品質設定方法は、ユーザ端末、通訳システム及び音声信号を初段から最終段へと順次に転送する複数段のパケット転送装置を備える通信ネットワークにおける通信品質の設定方法であって、ユーザ端末に通訳要求が入力される過程と、通訳要求を、ユーザ端末から初段のパケット転送装置、中間段のパケット転送装置及び最終段のパケット転送装置を経由して通訳システムまで、順次に送信する過程と、通訳システムで、通訳要求に基づいて通信品質設定プログラムを作成する過程と、通訳システムから最終段のパケット転送装置へ通信品質設定プログラムを送信する過程と、ユーザ端末に音声信号が入力される過程と、音声信号を、ユーザ端末から初段のパケット転送装置、中間段のパケット転送装置及び最終段のパケット転送装置を経由して通訳システムへ、順次に転送する過程と、最終段のパケット転送装置から中間段のパケット転送装置を経て初段のパケット転送装置まで、各パケット転送装置で順次に、送信されてきた通信品質設定プログラムを実行することによって、通信品質設定と、通信品質設定結果の記録と、通信品質設定後の通信品質設定プログラムの複製と、複製された通信品質設定プログラム及び最終段のパケット転送装置から通信品質設定プログラムを現在実行中のパケット転送装置までの全ての通信品質設定結果の送信とを、それぞれ行う過程と、通訳システムで通訳処理を行う過程と、通信品質設定プログラム及び全ての通信品質設定結果を、初段のパケット転送装置から中間段のパケット転送装置及び最終段のパケット転送装置を経由して通訳システムまで、順次に送信する過程と、通訳システムで、通信品質設定プログラム及び全ての通信品質設定結果を受信する過程とを有する。
【００２１】
この第４の通信品質設定方法によれば、通訳ソフトの音声認識に見合った通信品質をオンデマンドに設定することで、音声認識の甘いソフトにも対応した通訳サービスが可能となる。
【００２２】
この発明の通信ネットワークにおける第５の通信品質設定方法は、管理システム、ユーザ端末、通訳システム及び音声信号を初段から最終段へと順次に転送する複数段のパケット転送装置とを備える通信ネットワークにおける通信品質の設定方法であって、ユーザ端末に通訳要求が入力される過程と、通訳要求を、ユーザ端末から初段のパケット転送装置、中間段のパケット転送装置及び最終段のパケット転送装置を経由して通訳システムまで、順次に送信する過程と、通訳システムで、通訳要求を受信し、通訳要求に基づいた通信品質設定要求を通訳システムから管理システムへ送信する過程と、管理システムで、通信品質設定要求に基づいて通信品質設定プログラムを作成する過程と、管理システムから最終段のパケット転送装置へ通信品質設定プログラムを送信する過程と、ユーザ端末に音声信号が入力される過程と、音声信号を、ユーザ端末から初段のパケット転送装置、中間段のパケット転送装置及び最終段のパケット転送装置を経由して通訳システムへ、順次に転送する過程と、最終段のパケット転送装置から中間段のパケット転送装置を経て初段のパケット転送装置まで、各パケット転送装置で順次に、送信されてきた通信品質設定プログラムを実行することによって、通信品質設定と、通信品質設定結果の記録と、通信品質設定後の通信品質設定プログラムの複製と、複製された通信品質設定プログラム及び最終段のパケット転送装置から通信品質設定プログラムを現在実行中のパケット転送装置までの全ての通信品質設定結果の送信とを、それぞれ行う過程と、通訳システムで通訳処理を行う過程と、通信品質設定プログラム及び全ての通信品質設定結果を、初段のパケット転送装置から管理システムへ送信する過程と、管理システムで、通信品質設定プログラム及び全ての通信品質設定結果とを受信し、全ての通信品質設定結果を記録する過程と、全ての通信品質設定結果を管理システムから通訳システムに送信する過程と、通訳システムで、通信品質設定プログラム及び全ての通信品質設定結果を受信する過程とを有する。
【００２３】
この第５の通信品質設定方法によれば、通訳ソフトの音声認識に見合った通信品質をオンデマンドに管理システムが設定することで、音声認識の甘いソフトにも対応した通訳サービスが可能となる。
【００２４】
さらに、上述の目的を達成するため、この発明は上述した各方法の実施をするためのシステムをそれぞれ提供しており、このシステムの構成によれば、トラヒックの状態に応じて各パケット転送装置が自律的に通信品質設定を行うことが可能となる。
【００２５】
さらに、上述した第１、第２、又は第３の方法の好適実施例を実施するためのシステムの場合には、終了処理を含めることで、パケット転送装置内に無駄なプログラムを残すことなく通信品質設定が可能となる。
【００２６】
また、第４又は第５の方法を実施するためのシステムによれば、音声認識の甘いソフトにも対応した通訳サービスが可能となる。
【００２７】
さらに、上述した各方法を実施するためのプログラムによれば、情報記録媒体（パッケージソフトウエアなど）や通信ネットワーク上からのダウンロード／インストールを通じて、上述した発明の方法の実施の提供が可能となる。
【００２８】
【発明の実施の形態】
以下、図を参照して、この発明の実施の形態について説明するが、構成及び配置関係についてはこの発明が理解できる程度に概略的に示したものに過ぎない。また、以下、この発明の好適な構成例につき説明するが、数値的条件などは、単なる好適例にすぎない。従って、この発明は以下の実施の形態に限定されず、特許請求の範囲の記載に基づく様々な形態に適用可能である。
【００２９】
また、通常の通信ネットワークでは、パケット転送装置として、ネットワークドメイン内に存在し伝送パケットを高速転送するコアノードと、ネットワークドメインの端に位置し通信品質（ＱｏＳ：Ｑｕａｌｉｔｙ  ｏｆ  Ｓｅｒｖｉｃｅ）設定等を行うエッジノードの２つが使用されるが、この発明ではエッジノードのみを管理対象とする。
【００３０】
尚、以下の説明において、管理システム、各エッジノード、ユーザ端末及び通訳システムは、それぞれマイクロコンピュータを用いて構成されている。したがって、ＣＰＵ（中央演算処理装置）、メモリ、入出力装置、ネットワークインタフェース、その他の構成要素を備えている。メモリは、ＣＰＵ中のメモリであっても、ＣＰＵ外のメモリであってもよい。また、メモリとしてＲＡＭ、ＲＯＭ、或いはその他設計に応じた任意のメモリを使用することができる。また、ＣＰＵは周知の通り、コンピュータの駆動に必要な種々の制御を行うための制御手段と、メモリと、演算部とを備えている。演算部は、プログラムを実行するときに、機能手段として機能する部分である。制御手段については、周知事項であるのでその詳細な説明は省略する。尚、メモリには、各マイクロコンピュータを駆動させるのに必要な初期条件その他の情報が予め格納されるとともに、駆動中に外部から入力される情報や各機能手段で生成される情報を一時的に格納するが、この点については、一般的事項であるので、その説明は省略する。
【００３１】
（第１実施形態の構成及び各部の基本的な動作）
図１を参照すると、第１実施形態における通信ネットワークの概略構成では、伝送パケットを転送する通信回線網１０にエッジノード１３、エッジノード１４、エッジノード１５、エッジノード１６が接続されている。通信回線網１０とエッジノード１３〜１６とを合わせて、管理ネットワークという。また、管理ネットワークを管理する管理システム１２が通信回線網１０に接続されている。ユーザ端末１７は、エッジノード１６に接続されている。尚、ユーザ端末１７は、管理ネットワークに含まれる各エッジノードに１台又は複数台接続されても良く、管理ネットワークに含まれない別の通信ネットワークを介して接続されても良い。また、管理ネットワークに属さない通信ネットワークを非管理ネットワークという。
【００３２】
次に、管理システムにつき図２を参照して説明する。管理システム１２は、コンピュータで実現される。管理システム１２は、ＣＰＵ１２Ａと、メモリ１２Ｂと、管理プログラム送受信手段２０と、ＱｏＳ設定要求入力手段２２と、管理プログラム実行結果表示手段３２とを備えている。ＣＰＵ１２Ａは、制御手段１２Ｃと、メモリ（図示せず）と、機能手段としての、管理プログラム作成手段２４、管理プログラム監視手段２６、ユーザ情報管理手段２８及び管理プログラム実行結果管理手段３０とを含む。管理プログラム送受信手段２０では、管理プログラムを送受信する。ＱｏＳ設定要求入力手段２２は、ユーザ情報の入力装置を兼ねており、この入力手段２２には、キーボード等の入力装置や、ＣＤ−ＲＯＭ、磁気ディスク等の外部記録媒体の読取装置や、ネットワークインタフェース等が用いられる。管理プログラム実行結果表示手段３２は、ディスプレイやプリンタその他の表示装置や出力装置を含む。
【００３３】
管理プログラム作成手段２４では、ＱｏＳ設定要求を基にＱｏＳルールを作成する。ＱｏＳルール作成後にこのルールをプログラム化し、管理プログラムを作る。ここで、ＱｏＳルールは、ユーザからのＱｏＳ要求に応じたＱｏＳ設定を行うためのルールである。ユーザ情報管理手段２８では、管理ネットワークのネットワーク情報をデータベース化してメモリ１２Ｂに読み出し自在に書き込む。管理プログラム監視手段２６と管理プログラム実行結果管理手段３０は、管理プログラムの実行状態を監視し、実行結果をメモリ１２Ｂに読み出し自在に記録する。尚、ユーザ情報管理手段２８及び管理プログラム実行結果管理手段３０には、メモリ１２Ｂに加えて、ハードディスク、磁気ディスク等の補助記憶手段が用いられることもある。
【００３４】
次に、パケット転送装置であるエッジノードにつき、図３を参照して説明する。このエッジノードも、管理システムと同様に、コンピュータを備えている。エッジノード１３〜１６は、ＣＰＵ１９Ａとメモリ１９Ｂと、入出力手段１９Ｄと、管理プログラム送受信手段２１と、伝送パケット送受信手段３４とを備えている。ＣＰＵ１９Ａは、制御手段１９Ｃと、機能手段として、管理プログラム実行手段２５、管理プログラム複製手段２７、ユーザ情報管理手段２９、管理プログラム実行結果管理手段３１とを含む。伝送パケット送受信手段３４は、例えば、ルータを用いて実現される。
【００３５】
管理プログラム送受信手段２１では、管理プログラムを送受信し、管理プログラムはメモリ１９Ｂに読み出し自在に書き込まれる。管理プログラム実行手段２５でメモリ１９Ｂに書き込まれている管理プログラムを読み出してきて実行することにより、ＱｏＳ設定を行い、伝送パケット送受信手段３４を制御する。また、複数のＱｏＳルールに対して、管理プログラムは各々存在し、同時に動作することができる。
【００３６】
（第１実施形態の動作）
図４は、第１実施形態での通信ネットワークの機能構成及び動作を説明するためのブロック図である。管理ネットワークは、エッジノード１３〜１６を含むように構成されている。管理ネットワークを管理する管理システム１２は、リンク１２３でエッジノード１３と、また、リンク１２６でエッジノード１６と接続されている。ユーザ端末１７は、リンク１６７でエッジノード１６と接続されている。伝送パケットは、エッジノード１３と接続されている非管理ネットワーク１１から、エッジノード１３→リンク１３４→エッジノード１４→リンク１４６→エッジノード１６→リンク１６７の経路を経由して、すなわち初段のエッジノードから中間段のエッジノード及び最終段のエッジノードを経て、ユーザ端末１７に転送されているとする。
【００３７】
以下、図４〜図７を参照して、第１実施形態の動作について説明する。尚、図５は、第１実施形態でのシーケンス例を示す図、図６は、管理システムの処理フローを説明するための図、及び、図７は、エッジノードの処理フローを説明するための図である。以下の説明において、処理ステップをＳで表す。尚、以下の処理フローにおいて、Ｓ１３〜Ｓ１７は、管理プログラムとしてのＱｏＳ設定プログラムの作成フローであり、Ｓ１９〜Ｓ２１ａは、プログラム監視フローであり、及び、Ｓ５３〜Ｓ６３は、エッジノードでのＱｏＳ設定プログラムの処理フローである。
【００３８】
ユーザは、管理ネットワークの管理者、すなわち、オペレータに、電話、ファクシミリ、手紙、口頭等の何らかの手段を介して、ＱｏＳ設定の要求を行う。Ｓ１１において、オペレータは、この要求を受けて、管理システム１２に対して、ＱｏＳ設定要求入力手段２２を介してユーザからのＱｏＳ設定要求を入力する。
【００３９】
Ｓ１３において、管理システム１２の管理プログラム作成手段２４は、入力されたＱｏＳ設定要求の入力に基づき、設定すべきＱｏＳルールを、オペレータ介在で作成する。ＱｏＳルールは、例えば、以下のようなものである。
【００４０】
ＱｏＳルール（例）
送信元ＩＰアドレス＝１．１．１．１
宛先ＩＰアドレス  ＝１．１．Ｘ．Ｘ
である伝送パケットのトラヒックが１０Ｍｂｐｓを超えた場合には、２０Ｍｂｐｓの帯域を確保すること。
【００４１】
Ｓ１５において、管理プログラム作成手段２４は、このＱｏＳルールをプログラム化し、ＱｏＳ設定プログラム５０ａを作成する。
【００４２】
Ｓ１７において、ＱｏＳ設定プログラム５０ａは、その作成の完了に応答して、管理システム１２の管理プログラム送受信手段２０からリンク１２６を経由してエッジノード１６へ送信される。エッジノード１６は、リンク１６７でユーザ端末１７に接続されていて、管理ネットワークに含まれているエッジノードの中で、通信ネットワーク上、宛先ＩＰアドレスに最も近いところに位置する最終段のエッジノードである。
【００４３】
Ｓ５１において、エッジノード１６は、管理プログラム送受信手段２１で、ＱｏＳ設定プログラム５０ａを受信して、メモリ１９Ｂに読み出し自在に記録する。
【００４４】
管理プログラム実行手段２５は、ＱｏＳ設定プログラム５０ａの入力に応答して、ＱｏＳ設定プログラム５０ａを自動的に実行する。このＱｏＳ設定プログラム５０ａの実行により、Ｓ５３において、パケット送受信手段３４で送受信される伝送パケットのトラヒックを監視する。
【００４５】
Ｓ５５において、ＱｏＳ設定プログラム５０ａにしたがって、トラヒックをＱｏＳルールに対して判定する。この判定は、ＱｏＳルールで定められた送信元アドレス及び宛先アドレスを持つ伝送パケットのトラヒックが設定値１０Ｍｂｐｓを超えているかどうかの判定である。ＱｏＳ設定プログラム５０ａは、トラヒックの判定の結果、ＱｏＳルールで設定された送信元ＩＰアドレス及び宛先ＩＰアドレスを持つ伝送パケット６０ｃのトラヒックが１０Ｍｂｐｓを超えた場合には、次のステップＳ５７に進む。
【００４６】
Ｓ５７において、ＱｏＳの設定、すなわち、トラヒックの帯域の２０Ｍｂｐｓへの拡大を行う。
【００４７】
帯域を拡大した後、Ｓ５８において、管理プログラム実行手段２５は、ＱｏＳ設定結果、すなわち、帯域が２０Ｍｂｐｓであることをメモリ１９Ｂに読み出し自在に記録する。
【００４８】
Ｓ５９において、自己の複製のＱｏＳ設定プログラム５０ｂを作成する。
【００４９】
Ｓ６１において、複製されたＱｏＳ設定プログラム５０ｂ及びエッジノード１６でのＱｏＳ設定結果は、伝送パケット６０ｃを転送してきたリンク先に対し、送信される。伝送パケット６０ｃがリンク１４６から入ってきている場合、ＱｏＳ設定プログラム５０ｂは、リンク１４６経由で中間段のエッジノード１４へ送信される。
【００５０】
Ｓ６３において、管理プログラム実行手段２５は、ＱｏＳ設定プログラムの送信先のエッジノードがどのエッジノードであるかをメモリ１９Ｂに読み出し自在に記録する。
【００５１】
なお、Ｓ５５で、トラヒックが１０Ｍｂｐｓを超えない場合には、Ｓ５３のトラヒックの監視を引き続き行う。
【００５２】
エッジノード１４では、ＱｏＳ設定プログラム５０ｂの実行により、エッジノード１６と同様に処理ステップＳ５３〜６３の処理が行われる。伝送パケット６０ｂがリンク１３４から入ってきている場合、エッジノード１４で作成された自己の複製のＱｏＳ設定プログラム５０ｃとエッジノード１６及びエッジノード１４でのＱｏＳ設定結果は、リンク１３４経由でエッジノード１３へ送信される。エッジノード１３は、非管理ネットワーク１１に接続されていて、管理ネットワークに含まれているエッジノードの中で、通信ネットワーク上、送信元ＩＰアドレスに最も近いところに位置する初段のエッジノードである。
【００５３】
エッジノード１３では、ＱｏＳ設定プログラム５０ｃにより、エッジノード１４及びエッジノード１６と同様にＳ５３〜５９の処理が行われる。
【００５４】
Ｓ６１において、エッジノード１３で作成された、自己の複製のＱｏＳ設定プログラム５０ｄとともに、エッジノード１６と、エッジノード１４と、エッジノード１３とでのＱｏＳ設定結果が、リンク１２３を経由して管理システム１２へ送信される。尚、伝送パケットが管理ネットワークの３つのエッジノードを経由している場合を例にしたが、３つ以上のエッジノードを経由している場合には、その全てのエッジノードでの設定結果が、管理システム１２へ送信される。
【００５５】
管理システム１２は、Ｓ１９において、管理プログラム送受信手段２０での、ＱｏＳ設定プログラム５０ｄ及び各エッジノードでのＱｏＳ設定結果の受信を確認し、これらを受信している場合には、次のステップＳ２１ａに進む。
【００５６】
その後、Ｓ２１ａにおいて、各エッジノードでのＱｏＳ設定結果を管理プログラム実行結果管理手段３０により、メモリ１２Ｂに読み出し自在に記録し、また、必要に応じてＱｏＳ設定結果を管理プログラム実行結果表示手段３２で表示する。
【００５７】
各エッジノードではＱｏＳ設定プログラム５０（ＱｏＳ設定プログラム５０ａ及びその複製）が実行されていて、伝送パケットの伝送経路が変わるごとに新しい伝送経路上のエッジノードに対し、ＱｏＳ設定を行う。
【００５８】
（第１実施形態の利点）
以上のように、この第１実施形態の方法を用いることにより、管理システムが直接管理することなく、トラヒックの状態に応じて各エッジノードが自律的にＱｏＳ設定を行うことが可能となる。
【００５９】
（第２実施形態の構成及び各部の基本的な動作）
管理ネットワークに接続されているエッジノードが少数の場合、管理システムを置かなくても良い。
【００６０】
第２実施形態におけるＱｏＳ設定方法を説明するための通信ネットワークの概略構成は、管理システムが接続されていないことを除けば、第１実施形態と同様であるので、構成の図示は省略する。
【００６１】
エッジノードの構成は、第１実施形態と同様で、既に図３を参照して説明した通りである。
【００６２】
ユーザ端末１７につき、図８を参照して説明する。ユーザ端末１７は第１実施形態における管理システムが持つ機能の中で、管理プログラム送受信手段２０と、ＱｏＳ設定要求入力手段２２と、ＣＰＵ１７Ａと、メモリ１７Ｂとを備えている。また、ＣＰＵ１７Ａは、制御手段１７Ｃと、メモリ（図示せず）と、機能手段としての、管理プログラム作成手段２４、管理プログラム監視手段２６、ユーザ情報管理手段２８とを含む。
【００６３】
（第２実施形態の動作）
図９は、第２実施形態での通信ネットワークの機能構成及び動作を説明するためのブロック図である。管理ネットワークは、エッジノード１３〜１６を含むように構成されている。ユーザ端末１７は、リンク１６７でエッジノード１６に接続されている。伝送パケットは、エッジノード１３と接続されている非管理ネットワーク１１から、エッジノード１３→リンク１３４→エッジノード１４→リンク１４６→エッジノード１６→リンク１６７の経路を経由して、ユーザ端末１７に伝送されているとする。
【００６４】
図９とあわせて、図１０の第２実施形態でのシーケンス例を示す図を参照して第２実施形態の動作について説明する。また、ユーザ端末１７の処理フローは、第１実施形態の管理システムの処理フローと同様であり、エッジノードの処理フローは、第１実施形態のエッジノードの処理フローと同様なので、図６及び図７も参照して説明する。さらに、ユーザ端末の機能構成を説明するための図８も参照して説明する。尚、以下の説明において、第１実施形態と同じ処理フローについては説明を省略することもある。
【００６５】
ユーザは、ユーザ端末１７に対して、ＱｏＳ設定要求入力手段２２を介してＱｏＳ設定要求を入力する。
【００６６】
Ｓ１３において、ユーザ端末１７の管理プログラム作成手段２４は、入力されたＱｏＳ設定要求に基づき、設定すべきＱｏＳルールを、ユーザ介在で作成する。
【００６７】
Ｓ１５において、管理プログラム作成手段２４は、このＱｏＳルールをプログラム化し、管理プログラムとして、ＱｏＳ設定プログラム５０ａを作成する。
【００６８】
Ｓ１７において、ＱｏＳ設定プログラム５０ａは、その作成の完了に応答して、ユーザ端末１７の管理プログラム送受信手段２０からリンク１６７を経由して最終段のエッジノード１６へ送信される。
【００６９】
最終段のエッジノード１６が、ＱｏＳ設定プログラム５０ａを受信しＱｏＳ設定を開始してから、中間段のエッジノード１４を経由して初段のエッジノード１３でＱｏＳ設定を行うまでの動作は、第１実施形態と同じである。
【００７０】
エッジノード１３では、帯域を拡大した後、Ｓ５９において、自己の複製のＱｏＳ設定プログラム５０ｅを作成する。
【００７１】
Ｓ６１において、ＱｏＳ設定プログラム５０ｅとともにエッジノード１６と、エッジノード１４と、エッジノード１３とでのＱｏＳ設定結果は、リンク１３４→エッジノード１４→リンク１４６→エッジノード１６→リンク１６７の経路を経由してユーザ端末１７に送信される。Ｓ１９において、ユーザ端末１７はＱｏＳ設定プログラムと全てのエッジノードでのＱｏＳ設定結果を、管理プログラム送受信手段２０により受信する。
【００７２】
各エッジノードではＱｏＳ設定プログラム５０が実行されていて、伝送パケットの伝送経路が変わるごとに新しい伝送経路上のエッジノードに対し、ＱｏＳ設定を行う。
【００７３】
（第２実施形態の利点）
以上のように、管理システムではなくユーザ端末でＱｏＳ設定プログラムを作成することで、オンデマンドにユーザがＱｏＳを設定することが可能となる。
【００７４】
（第３実施形態の構成及び各部の基本的な動作）
第３実施形態におけるＱｏＳ設定方法を説明するための通信ネットワークの概略構成は、第１実施形態と同様であるので、図は省略する。また、管理システム、エッジノード及びユーザ端末の機能と構成は、第１実施形態、第２実施形態と同様であるので、説明を省略する。
【００７５】
（第３実施形態の動作）
図１１は第３実施形態の機能構成及び動作を示すブロック図である。管理ネットワークは、エッジノード１３〜１６を含むように構成されている。管理ネットワークを管理する管理システム１２は、リンク１２３でエッジノード１３と、リンク１２６でエッジノード１６と、接続されている。ユーザ端末１７は、リンク１６７でエッジノード１６と、また、リンク１２７で管理システム１２と接続されている。伝送パケットは、エッジノード１３と接続されている非管理ネットワーク１１から、エッジノード１３→リンク１３４→エッジノード１４→リンク１４６→エッジノード１６→リンク１６７の経路を経由して、ユーザ端末１７に伝送されているとする。
【００７６】
以下、図１１〜図１３を参照して、第３実施形態の動作について説明する。尚、図１２は、第３実施形態でのシーケンス例を示す図、及び、図１３は、管理システムの処理フローを示す図である。エッジノードの処理フローは、第１実施形態のエッジノードの処理フローと同様なので、図７も参照して説明する。さらに、管理システムの機能構成を説明するための図２も参照して説明する。
【００７７】
動作はほぼ第１実施形態と同様であるが、ＱｏＳ設定プログラム５０ａが生成される契機が管理システム１２ではなく、ユーザ端末１７にある点が異なる。尚、以下の処理フローにおいて、Ｓ１３〜Ｓ１７はＱｏＳ設定プログラム作成フローであり、Ｓ１９〜Ｓ２２はプログラム監視フローである。
【００７８】
ユーザ端末１７に対して、ユーザがＱｏＳ設定要求を入力する。このＱｏＳ設定要求はリンク１２７を経由して管理システム１２へ送信される。
【００７９】
ステップＳ１１において、管理システム１２は、ＱｏＳ設定要求入力手段２２を介してＱｏＳ設定要求を受信する。Ｓ１３において、管理システム１２の管理プログラム作成手段２４は、このＱｏＳ設定要求に基づいて、設定すべきＱｏＳルールを作成する。
【００８０】
Ｓ１５において、管理プログラム作成手段２４は、このＱｏＳルールをプログラム化し、管理プログラムとして、ＱｏＳ設定プログラム５０ａを作成する。
【００８１】
Ｓ１７において、ＱｏＳ設定プログラム５０ａは、その作成の完了に応答して、管理システム１２の管理プログラム送受信手段２０からリンク１２６を経由して最終段のエッジノード１６へ送信される。
【００８２】
最終段のエッジノード１６が、ＱｏＳ設定プログラム５０ａを受信しＱｏＳ設定を開始してから、中間段のエッジノード１４を経由して初段のエッジノード１３でＱｏＳ設定を行い、ＱｏＳ設定プログラム５０ｄと全てのエッジノードでのＱｏＳ設定結果を管理システムへ送信するまでの動作は、第１実施形態と同じである。
【００８３】
管理システム１２では、Ｓ１９において、管理プログラム送受信手段２０を介してＱｏＳ設定プログラム５０ｄと、各エッジノードでのＱｏＳ設定結果とを受信する。
【００８４】
その後、Ｓ２１ｂにおいて、各エッジノードでのＱｏＳ設定結果を管理プログラム実行結果管理手段３０により、メモリ１２Ｂに読み出し自在に記録する。
【００８５】
Ｓ２２において、管理システム１２は、リンク１２７を経由してユーザ端末１７へ、各エッジノードでのＱｏＳ設定結果を送信する。ユーザ端末１７では、全エッジノードでのＱｏＳ設定結果を受信する。
【００８６】
各エッジノードではＱｏＳ設定プログラム５０が実行されていて、伝送パケットの伝送経路が変わるごとに新しい伝送経路上のエッジノードに対し、ＱｏＳ設定を行う。
【００８７】
（第３実施形態の利点）
以上のように、管理プログラムの作成を、ユーザが管理システムにオンラインで依頼することで、オンデマンドにＱｏＳを設定することが可能となる。
【００８８】
（第４実施形態の構成及び各部の基本的な動作）
第４実施形態におけるＱｏＳ設定方法を説明するための通信ネットワークの概略構成は、第１実施形態と同じく図１に示す構成である。
【００８９】
エッジノードと管理システムの機能、構成は第１実施形態と同じである。
【００９０】
（第４実施形態の動作）
第４実施形態の動作について、図１４〜図１６を参照して説明する。図１４は、第４実施形態でのシーケンス例を示す図、図１５は、管理システムの処理フローを示す図、及び、図１６は、エッジノードの処理フローを示す図である。また、第４実施形態の機能構成は第１実施形態と同様なので、図４も参照して説明する。尚、以下の処理フローにおいて、Ｓ１３〜Ｓ１７はＱｏＳ設定プログラム作成フローであり、Ｓ１９〜Ｓ２７は終了処理プログラム作成フローであり、及び、Ｓ２９〜Ｓ３１ａは管理終了フローである。また、Ｓ５３〜Ｓ６３は各エッジノードでのＱｏＳ設定プログラムの処理フローであり、及び、Ｓ７３〜Ｓ７７は終了処理プログラムの処理フローである。
【００９１】
既に説明した第１実施形態では、各々のエッジノードにあるＱｏＳ設定プログラム５０が実行されたまま、ＱｏＳ管理は終了する。第４実施形態では、Ｓ２１ａの管理システムでのＱｏＳ設定結果の記録及び表示までの動作は第１実施形態と同じである。
【００９２】
管理システム１２は、ＱｏＳ設定プログラム５０ａを、リンク１２６を経由して初段のエッジノード１６に対して送信した後、Ｓ２３において、予め契約により定められた一定期間待機する。その後、ＱｏＳ設定プログラムを終了させるために、Ｓ２５において、管理プログラム作成手段２４により、別の管理プログラムとして終了処理プログラムを作成する。
【００９３】
Ｓ２７において、その作成の完了に応答して、終了処理プログラムは、管理プログラム送受信手段２０からリンク１２６を経由してエッジノード１６へ送信される。
【００９４】
Ｓ７１において、エッジノード１６は、管理プログラム送受信手段２１で、終了処理プログラムを受信して、メモリ１９Ｂに読み出し自在に記録する。管理プログラム実行手段２５は、終了処理プログラムの受信に応答して、終了処理プログラムを自動的に実行する。
【００９５】
Ｓ７３において、この終了処理プログラムはエッジノード１６内にＱｏＳ設定プログラム５０ａが実行されているときに、そのＱｏＳ設定プログラム５０ａが複製されて、送信されたリンク名のリストを管理プログラム実行結果管理手段３１を介してメモリ１９Ｂから取得する。
【００９６】
Ｓ７５において、終了処理プログラムは、ＱｏＳ設定プログラム５０ａを終了させる。
【００９７】
さらにＳ７７において、取得したリンクの方向に対して終了処理プログラム及び終了処理結果が送信される。
【００９８】
終了処理プログラムは、送信されたエッジノードでも同様にＳ７３〜Ｓ７７の処理を行い、管理ネットワーク内のＱｏＳ設定プログラム５０を終了させ、終了処理プログラム及び全てのエッジノードでの終了処理結果は、管理システム１２に送信される。
【００９９】
管理システム１２は、Ｓ２９において、終了処理プログラム及び終了処理結果を受信する。
【０１００】
Ｓ３１ａにおいて、管理システム１２では、終了処理結果を管理プログラム実行結果管理手段３０により、メモリ１２Ｂに読み出し自在に記録し、また、必要に応じて終了処理結果を管理プログラム実行結果表示手段３２で表示する。
【０１０１】
（第４実施形態の利点）
以上のように、第１実施形態に対して終了処理を含めることで、エッジノード内に無駄なプログラムを残すことなくＱｏＳ設定が可能となる。
【０１０２】
（第５実施形態の構成及び各部の基本的な動作）
第５実施形態におけるＱｏＳ設定方法を説明するための通信ネットワークの概略構成は、管理システムが接続されていないことを除けば、第１実施形態と同様であるので、構成の図示は省略する。エッジノードとユーザ端末の機能、構成は第２実施形態と同じである。
【０１０３】
（第５実施形態の動作）
第５実施形態の機能構成は第２実施形態と同様なので、図９を参照して説明する。第５実施形態の動作について、図９とあわせて、図１７の第５実施形態でのシーケンス例を参照して説明する。また、ユーザ端末１７の処理フローは、第４実施形態の管理システムが行うものと同様であり、エッジノードの処理フローは、第４実施形態のエッジノードの処理フローと同様なので、図１５及び図１６も参照して説明する。さらに、ユーザ端末の機能構成を説明するための図８も参照して説明する。
【０１０４】
既に説明した第２実施形態では、各々のエッジノードにあるＱｏＳ設定プログラム５０が実行されたまま、ＱｏＳ管理は終了する。第５実施形態では、Ｓ１９のユーザ端末１７でのＱｏＳ設定結果の受信までの動作は、第２実施形態と同じである。
【０１０５】
ユーザ端末１７は、ＱｏＳ設定プログラム５０ａを、リンク１６７を経由して最終段のエッジノード１６に送信した後、Ｓ２３において、予め契約により定められた一定期間待機する。その後、ＱｏＳ設定プログラムを終了させるために、Ｓ２５において、管理プログラム作成手段２４により、別の管理プログラムとして終了処理プログラムを作成する。
【０１０６】
Ｓ２７において、その作成の完了に応答して、終了処理プログラムは、管理プログラム送受信手段２０からリンク１６７を経由してエッジノード１６へ送信される。エッジノード１６で、終了処理プログラムの受信に応答して終了処理プログラムが実行されてから、管理ネットワーク内の各エッジノードで終了処理プログラムが実行され、Ｓ７３〜Ｓ７７の処理を行う処理フローは第４実施形態と同様である。
【０１０７】
管理ネットワーク内のＱｏＳ設定プログラム５０を終了させた後、終了処理プログラム及び全てのエッジノードでの終了処理結果は、ユーザ端末１７へ送信される。
【０１０８】
Ｓ２９において、ユーザ端末１７は、管理プログラム送受信手段２０により、終了処理プログラム及び全てのエッジノードでの終了処理結果を受信する。
【０１０９】
（第５実施形態の利点）
以上のように、第２実施形態に対して終了処理を含めることで、エッジノード内に無駄なプログラムを残すことなくＱｏＳ設定が可能となる。
【０１１０】
（第６実施形態の構成及び各部の基本的な動作）
第６実施形態におけるＱｏＳ設定方法を説明するための通信ネットワークの概略構成は、第１実施形態と同じく図１に示す構成である。エッジノードと管理システムの機能、構成は第３実施形態と同じである。
【０１１１】
（第６実施形態の動作）
第６実施形態の機能構成は第３実施形態と同様なので、図１１を参照して説明する。第６実施形態の動作について、図１１とあわせて、図１８、図１９を参照して説明する。図１８は、第６実施形態でのシーケンス例を示す図であり、図１９は、管理システムの処理フローを示す図である。また、エッジノードの処理フローは第４実施形態におけるエッジノードの処理フローと同様なので、図１６も参照して説明する。
【０１１２】
すでに説明した第３実施形態では、各々のエッジノードにあるＱｏＳ設定プログラム５０が実行されたまま、ＱｏＳ管理は終了する。第６実施形態では、Ｓ２２の管理システムでのユーザ端末へのＱｏＳ設定結果の通知までの動作は第３実施形態と同じである。
【０１１３】
管理システム１２は、ＱｏＳ設定プログラム５０ａを、リンク１２６を経由して初段のエッジノード１６に対して送信した後、Ｓ２３において、予め契約により定められた一定期間待機する。その後、ＱｏＳ設定プログラムを終了させるために、Ｓ２５において、管理プログラム作成手段２４により、別の管理プログラムとして終了処理プログラムを作成する。尚、ユーザ端末１７が、ＱｏＳ管理終了要求をリンク１２７を経由して管理システム１２に送信することで、終了処理プログラム作成の契機としても良い。この場合、ユーザ端末１７は、ＱｏＳ設定要求を管理システム１２に送信した後、予め契約により定められた一定期間待機した後に、ＱｏＳ管理終了要求を管理システム１２に送信する。
【０１１４】
Ｓ２７において、その作成の完了に応答して、終了処理プログラムはリンク１６７を経由して最終段のエッジノード１６に送信される。
【０１１５】
エッジノード１６で、終了処理プログラムの受信に応答して終了処理プログラムが実行されてから、管理ネットワーク内の各エッジノードで、ＱｏＳ設定プログラム５０を終了させ、終了処理プログラム及び全てのエッジノードでの終了処理結果が、管理システム１２へ送信されるまでの処理フローは第４実施形態と同じである。
【０１１６】
Ｓ２９において、管理システム１２の管理プログラム送受信手段２０は、終了処理プログラム及び全ての終了処理結果を受信する。
【０１１７】
Ｓ３１ｂにおいて、管理システム１２では、各エッジノードでの終了処理結果を管理プログラム実行結果管理手段３０により、メモリ１２Ｂに読み出し自在に記録する。
【０１１８】
Ｓ３２において、管理システム１２は、終了処理結果を、リンク１２７を経由してユーザ端末１７に通知する。
【０１１９】
（第６実施形態の利点）
以上のように、第３実施形態に対して終了処理を含めることで、エッジノード内に無駄なプログラムを残すことなくＱｏＳ設定が可能となる。
【０１２０】
（第７実施形態の構成及び各部の基本的な動作）
第７実施形態におけるＱｏＳ設定方法を説明するための通信ネットワークの概略構成は、管理システムが接続されないこと、通訳システムが接続されていることを除けば、第１実施形態と同様であるので、図は省略する。エッジノードの構成は、第１実施形態と同様で、既に図３を参照して説明した通りである。
【０１２１】
通訳システム１８につき、図２０を参照して説明する。通訳システム１８は、第１実施形態における管理システムが持つ機能の中で、管理プログラム送受信手段２０と、ＣＰＵ１８Ａと、メモリ１８Ｂとを備えている。さらに、通訳要求入力手段３６を備えている。また、ＣＰＵ１８Ａは、制御手段１８Ｃと、メモリ（図示せず）と、機能手段としての、管理プログラム作成手段２４、管理プログラム監視手段２６、ユーザ情報管理手段２８、通訳手段３８とを含む。
【０１２２】
（第７実施形態の動作）
図２１は、第７実施形態での通信ネットワークの機能構成及び動作を説明するためのブロック図である。管理ネットワークは、エッジノード１３〜１６を含むように構成されている。ユーザ端末１７は、リンク１６７でエッジノード１６に接続されている。通訳システム１８は、リンク１３８でエッジノード１３に接続されている。この構成例では、ユーザ端末１７から通訳システム１８へ転送される音声信号がＱｏＳ設定対象となるので、エッジノード１６が初段のエッジノード、エッジノード１３が最終段のエッジノードである。
【０１２３】
以下、図２１〜図２３を参照して、第７実施形態の動作について説明する。尚、図２２は、第７実施形態のシーケンス例を示す図であり、図２３は、通訳システム１８の処理フローを示す図である。尚、以下の処理フローにおいて、Ｓ１５、Ｓ１７及びＳ４０は通訳フローであり、Ｓ１９〜Ｓ２１ｂは終了処理フローである。
【０１２４】
ユーザがユーザ端末１７に対して通訳要求を入力する。Ｓ１２において、通訳システム１８は、ユーザ端末１７から、例えば、リンク１６７→エッジノード１６→リンク１４６→エッジノード１４→リンク１３４→エッジノード１３−リンク１３８の経路を経由して通訳要求を受信する。
【０１２５】
Ｓ１５において、通訳要求を受信すると、通訳システム１８は、ＱｏＳ設定プログラム５０ａを作成する。
【０１２６】
Ｓ１７において、ＱｏＳ設定プログラム５０ａは、リンク１３８を経由して最終段のエッジノード１３へ送信される。
【０１２７】
ユーザ端末１７に通訳対象である音声信号が入力されると、第２実施形態と同様に各エッジノード内でＱｏＳ設定がなされる。音声信号は、ユーザ端末１７から、リンク１６７→エッジノード１６→リンク１４６→エッジノード１４→リンク１３４→エッジノード１３−リンク１３８の経路を経由して、通訳システム１８に転送されるとする。
【０１２８】
Ｓ４０において、通訳システム１８は、音声信号を受信し、通訳作業を行う。
【０１２９】
最終的に初段のエッジノード１６にてＱｏＳ設定を行った時点で、ＱｏＳ設定プログラム５０及び各エッジノードでのＱｏＳ設定結果は、リンク１４６→エッジノード１４→リンク１３４→エッジノード１３→リンク１３８の経路を経由して通訳システム１８に送信される。各エッジノードではＱｏＳ設定プログラム５０が常駐しており、音声信号の伝送経路が変わるごとに新しい伝送経路上のエッジノードに対し、ＱｏＳ設定プログラム５０が複製されて送信され、ＱｏＳを設定する。
【０１３０】
（第７実施形態の利点）
以上のように、通訳ソフトの音声認識に見合ったＱｏＳをオンデマンドに設定することで、音声認識の甘いソフトにも対応した通訳サービスが可能となる。
【０１３１】
（第８実施形態の構成及び各部の基本的な動作）
第８実施形態におけるＱｏＳ設定方法を説明するための通信ネットワークの概略構成は、通訳システムが接続されていることを除けば、第１実施形態と同様であるので、図は省略する。
【０１３２】
エッジノードと管理システムの機能構成は第１実施形態と同じである。通訳システム１８は、第７実施形態における通訳システムが持つ機能の中で、管理プログラム送受信手段２０と、ＣＰＵ１８Ａと、メモリ１８Ｂとを備えている。さらに、通訳要求入力手段３６を備えている。また、ＣＰＵ１８Ａは、制御手段１８Ｃと、メモリ（図示せず）と、機能手段としての、ユーザ情報管理手段２８、通訳手段３８とを含む。管理プログラム作成手段、管理プログラム監視手段は、管理システム１２に備えられている。
【０１３３】
（第８実施形態の動作）
図２４は、第８実施形態での通信ネットワークの機能構成及び動作を説明するためのブロック図である。管理ネットワークは、エッジノード１３〜１６を含むように構成されている。ユーザ端末１７は、リンク１６７でエッジノード１６に接続されている。通訳システム１８はリンク１３８でエッジノード１３に接続されている。ユーザ端末１７から通訳システム１８へ転送される音声信号がＱｏＳ設定対象となるので、エッジノード１６が初段のエッジノード、エッジノード１３が最終段のエッジノードである。管理ネットワークを管理する管理システム１２は、リンク１２３でエッジノード１３と、リンク１２６でエッジノード１６と、リンク１２８で通訳システム１８と接続されている。図２４とあわせて、図２５の第８実施形態のシーケンス例と図２６の通訳システムの処理フローを参照して説明する。管理システムの処理フローは、第３実施形態の管理システムの処理フローと同様なので、図１３も参照して説明する。さらに、管理システムの機能構成を説明するための図２も参照して説明する。尚、以下の処理フローにおいて、Ｓ１３〜Ｓ１７はＱｏＳ設定プログラム作成フローであり、Ｓ１９〜Ｓ２２はプログラム監視フローであり、及びＳ１４とＳ４０は通訳フローである。
【０１３４】
ユーザがユーザ端末１７を介して通訳システム１８に対して通訳要求を送信する。
【０１３５】
Ｓ１２において、通訳システム１８は、ユーザ端末１７から、例えば、リンク１６７→エッジノード１６→リンク１４６→エッジノード１４→リンク１３４→エッジノード１３→リンク１３８の経路を経由して通訳要求を受信する。
【０１３６】
通訳システム１８は、通訳要求の受信を契機に、Ｓ１４において、リンク１２８を経由して管理システム１２に対しＱｏＳ設定要求を送信する。
【０１３７】
ステップＳ１１において、管理システム１２は、ＱｏＳ設定要求入力手段２２を介してＱｏＳ設定要求を受信する。Ｓ１３において、管理システム１２の管理プログラム作成手段２４は、このＱｏＳ設定要求に基づいて、設定すべきＱｏＳルールを作成する。
【０１３８】
Ｓ１５において、管理プログラム作成手段２４は、このＱｏＳルールをプログラム化し、管理プログラムとして、ＱｏＳ設定プログラム５０ａを作成する。
【０１３９】
Ｓ１７において、ＱｏＳ設定プログラム５０ａは、リンク１２３を経由してエッジノード１３へ送信される。ユーザ端末１７に通訳対象である音声信号が入力されると、各エッジノード内でＱｏＳ設定がなされる。最終的にエッジノード１６にてＱｏＳ設定を行った時点で、ＱｏＳ設定プログラム５０及び各エッジノードでのＱｏＳ設定結果は、リンク１４６→エッジノード１４→リンク１３４→エッジノード１３→リンク１２３の経路を経由して管理システム１２に送信される。
【０１４０】
Ｓ４０において、通訳システム１８は、音声信号を受信し、通訳作業を行う。
【０１４１】
Ｓ２２において、ＱｏＳ設定結果は、管理システム１２からリンク１２８を経由して通訳システム１８に送信される。
【０１４２】
各エッジノードではＱｏＳ設定プログラム５０が常駐しており、音声信号の伝送経路が変わるごとに新しい伝送経路上のエッジノードに対し、ＱｏＳ設定プログラム５０が複製されて送信され、ＱｏＳを設定する。
【０１４３】
（第８実施形態の利点）
以上のように、通訳ソフトの音声認識に見合ったＱｏＳをオンデマンドに管理システムが設定することで、音声認識の甘いソフトにも対応した通訳サービスが可能となる。
【０１４４】
【発明の効果】
上述した説明から明らかなように、この発明のＱｏＳ設定システム及びＱｏＳ設定方法によれば、管理システムが直接管理することなく、トラヒックの状態に応じて各エッジノードで自律的にＱｏＳの設定を行うことができる。また、各エッジノードで自律的にＱｏＳ設定を行うことにより、通訳システムの能力に見合ったＱｏＳ設定が可能となり、高品質の通訳サービスを提供することできる。
【０１４５】
また、この発明のプログラムによれば、上述したこの発明のＱｏＳ設定を首尾よく達成することができる。
【図面の簡単な説明】
【図１】この発明の第１実施形態における通信ネットワークの説明に供する概略構成図である。
【図２】この発明の第１実施形態における管理システムの機能の説明に供する概略図である。
【図３】この発明の第１実施形態におけるエッジノードの機能の説明に供する概略図である。
【図４】この発明の第１実施形態における機能構成及び動作の説明に供するブロック図である。
【図５】この発明の第１実施形態における動作の説明に供するシーケンス例である。
【図６】この発明の第１実施形態における管理システムの処理フローの説明に供する図である。
【図７】この発明の第１実施形態におけるエッジノードでのＱｏＳ設定プログラムの処理フローの説明に供する図である。
【図８】この発明の第２実施形態におけるユーザ端末の機能の説明に供する概略図である。
【図９】この発明の第２実施形態の機能構成及び動作の説明に供するブロック図である。
【図１０】この発明の第２実施形態の動作の説明に供するシーケンス例である。
【図１１】この発明の第３実施形態の機能構成及び動作の説明に供するブロック図である。
【図１２】この発明の第３実施形態の動作の説明に供するシーケンス例である。
【図１３】この発明の第３実施形態における管理システムの処理フローの説明に供する図である。
【図１４】この発明の第４実施形態の動作の説明に供するシーケンス例である。
【図１５】この発明による第４実施形態における管理システムの処理フローの説明に供する図である。
【図１６】この発明の第４実施形態におけるエッジノードでの管理プログラムの処理フローの説明に供する図である。
【図１７】この発明の第５実施形態の動作の説明に供するシーケンス例である。
【図１８】この発明の第６実施形態の動作の説明に供するシーケンス例である。
【図１９】この発明の第６実施形態における管理システムの処理フローの説明に供する図である。
【図２０】この発明の第７実施形態における通訳システムの機能の説明に供する概略図である。
【図２１】この発明の第７実施形態の機能構成及び動作の説明に供するブロック図である。
【図２２】この発明の第７実施形態の動作の説明に供するシーケンス例である。
【図２３】この発明の第７実施形態における通訳システムの処理フローの説明に供する図である。
【図２４】この発明の第８実施形態の機能構成及び動作の説明に供するブロック図である。
【図２５】この発明の第８実施形態の動作の説明に供するシーケンス例である。
【図２６】この発明の第８実施形態における通訳システムの処理フローを示す図である。
【符号の説明】
１０：通信回線網
１２：管理システム
１２Ａ：管理システムのＣＰＵ
１２Ｂ：管理システムのメモリ
１２Ｃ：管理システムの制御手段
１３、１４、１５、１６：エッジノード
１７：ユーザ端末
１７Ａ：ユーザ端末のＣＰＵ
１７Ｂ：ユーザ端末のメモリ
１７Ｃ：ユーザ端末の制御手段
１８：通訳システム
１９Ａ：エッジノードのＣＰＵ
１９Ｂ：エッジノードのメモリ
１９Ｃ：エッジノードの制御手段
１９Ｄ：入出力手段
２０：管理プログラム送受信手段（管理システム）
２１：管理プログラム送受信手段（エッジノード）
２２：ＱｏＳ設定要求入力手段
２４：管理プログラム作成手段
２５：管理プログラム実行手段
２６：管理プログラム監視手段
２７：管理プログラム複製手段
２８：ユーザ情報管理手段（管理システム）
２９：ユーザ情報管理手段（エッジノード）
３０：管理プログラム実行結果管理手段（管理システム）
３１：管理プログラム実行結果管理手段（エッジノード）
３２：管理プログラム実行結果表示手段
３４：伝送パケット送受信手段
３６：通訳要求入力手段
３８：通訳手段
５０、５０ａ、５０ｂ、５０ｃ、５０ｄ、５０ｅ、５０ｆ：ＱｏＳ設定プログラム
６０、６０ａ、６０ｂ、６０ｃ、６０ｄ：伝送パケット
６１、６１ａ、６１ｂ、６１ｃ、６１ｄ：音声信号
１２３：管理システム１２とエッジノード１３の間のリンク
１２６：管理システム１２とエッジノード１６の間のリンク
１２７：管理システム１２とユーザ端末１７の間のリンク
１２８：管理システム１２と通訳システム１８の間のリンク
１３４：エッジノード１３とエッジノード１４の間のリンク
１３５：エッジノード１３とエッジノード１５の間のリンク
１３８：エッジノード１３と通訳システム１８の間のリンク
１４５：エッジノード１４とエッジノード１５の間のリンク
１４６：エッジノード１４とエッジノード１６の間のリンク
１５６：エッジノード１５とエッジノード１６の間のリンク
１６７：エッジノード１６とユーザ端末１７の間のリンク
【図１】
2004363780.tif 000003
【図２】
2004363780.tif 000004
【図３】
2004363780.tif 000005
【図４】
2004363780.tif 000006
【図５】
2004363780.tif 000007
【図６】
2004363780.tif 000008
【図７】
2004363780.tif 000009
【図８】
2004363780.tif 000010
【図９】
2004363780.tif 000011
【図１０】
2004363780.tif 000012
【図１１】
2004363780.tif 000013
【図１２】
2004363780.tif 000014
【図１３】
2004363780.tif 000015
【図１４】
2004363780.tif 000016
【図１５】
2004363780.tif 000017
【図１６】
2004363780.tif 000018
【図１７】
2004363780.tif 000019
【図１８】
2004363780.tif 000020
【図１９】
2004363780.tif 000021
【図２０】
2004363780.tif 000022
【図２１】
2004363780.tif 000023
【図２２】
2004363780.tif 000024
【図２３】
2004363780.tif 000025
【図２４】
2004363780.tif 000026
【図２５】
2004363780.tif 000027
【図２６】
2004363780.tif 000028